(57)【要約】【課題】水洗式便器の排出性能を向上する。【解決手段】水洗式便器１０は、鉢面２１と、鉢面２１の下方に形成された凹部２３と、鉢面２１に洗浄水を供給する吐水口３０と、を有する便鉢部２０を備える。便鉢部２０は、吐水口３０における便鉢部２０内を旋回する洗浄水が流れてくる側の近傍に、便鉢部２０内を旋回して流れてきた洗浄水を凹部２３に導入するガイド部４０が設けられている。【選択図】図５
2020200605.tif 000002
【特許請求の範囲】
【請求項１】
鉢面と、前記鉢面の下方に形成された凹部と、前記鉢面に洗浄水を供給する吐水口と、を有する便鉢部を備え、
前記便鉢部は、前記吐水口における前記便鉢部内を旋回する洗浄水が流れてくる側の近傍に、前記便鉢部内を旋回して流れてきた洗浄水を前記凹部に導入するガイド部が設けられている水洗式便器。
【請求項２】
前記ガイド部は、前記便鉢部内を旋回して流れてきた洗浄水に衝突され、衝突した洗浄水の流れの方向を変更する請求項１に記載の水洗式便器。
【請求項３】
前記便鉢部は、前記便鉢部内を旋回する洗浄水が流れる導水路を更に有し、
前記ガイド部は、前記導水路から突出する請求項１から請求項２のいずれか１項に記載の水洗式便器。
【請求項４】
前記ガイド部は、前記導水路から前記便鉢部の中央側に向けて突出する第１突出部と、前記第１突出部の上方に連続して設けられ、前記導水路から前記便鉢部の中央側に向けて突出する第２突出部とを有し、
前記第２突出部は、前記第１突出部より突出量が小さい請求項１から請求項３のいずれか１項に記載の水洗式便器。
【請求項５】
前記ガイド部は、前記凹部における後方領域に向けて突出する請求項３から請求項４のいずれか１項に記載の水洗式便器。
【請求項６】
前記便鉢部は、前記ガイド部に対して前記便鉢部内を旋回する洗浄水の流れの上流側に、前記便鉢部内を旋回する洗浄水を前記便鉢部の中央側に向けて誘導する誘導面を更に有する請求項１から請求項５のいずれか１項に記載の水洗式便器。
【請求項７】
前記便鉢部は、前記便鉢部内を旋回する洗浄水を案内する立ち面を有し、
前記立ち面は、前記便鉢部の前方領域において、平面視における曲率半径が略一定な構成である請求項１から請求項６のいずれか１項に記載の水洗式便器。
【請求項８】
前記便鉢部は、左右方向における一方に位置する第１吐水口と、他方に位置する第２吐水口と、を有し、
前記第１吐水口は、前側に向けて前記便鉢部内を旋回する洗浄水を吐水する構成であり、
前記第２吐水口は、前記便鉢部内を旋回して流れてきた洗浄水と同じ方向に向けて洗浄水を吐水する構成であり、
前記吐水口は、前記第２吐水口であり、
前記ガイド部は、前記第２吐水口における前記便鉢部内を旋回する洗浄水が流れてくる側の縁部に設けられている請求項１から請求項７のいずれか１項に記載の水洗式便器。
【発明の詳細な説明】
【技術分野】
【０００１】
本開示は水洗式便器に関するものである。
【背景技術】
【０００２】
特許文献１は従来の便器本体を開示している。この便器本体は、便鉢部、便器排水路、第１吐水口、及び第２吐水口を備えている。第１吐水口から吐水した洗浄水は、平面視において便鉢部内を反時計方向に旋回する旋回流を形成する。第２吐水口から吐水した洗浄水は、第１吐水口から吐水した洗浄水と合流して溜水部に流入する。このため、この便器本体は溜水部へ流入する束の洗浄水の流量が多くなり、便器排水路への汚物の押し込みを良好に行うことができ、汚物等を便器本体から良好に排出することができる。
【先行技術文献】
【特許文献】
【０００３】
【特許文献１】特開２０１４−０３７７２３号公報
【発明の概要】
【発明が解決しようとする課題】
【０００４】
特許文献１の便器本体は、第１吐水口から吐水した洗浄水が第２吐水口を超えた位置まで旋回して流れるから、便鉢部内を反時計方向に旋回する旋回流の勢いによっては、溜水部の所望の位置に洗浄水を流入させることが難しい。このため、溜水部において便鉢部内を旋回する洗浄水が流入する位置を適宜設定して、排出性能を高くするという観点において改善の余地がある。
【０００５】
本開示は、水洗式便器の排出性能を向上することを解決すべき課題としている。
【課題を解決するための手段】
【０００６】
本開示の水洗式便器は、鉢面と、前記鉢面の下方に形成された凹部と、前記鉢面に洗浄水を供給する吐水口と、を有する便鉢部を備え、前記吐水口における前記便鉢部内を旋回する洗浄水が流れてくる側の近傍に、前記便鉢部内を旋回して流れてきた洗浄水を前記凹部に導入するガイド部が設けられている。
【図面の簡単な説明】
【０００７】
【図１】実施形態１の便座装置が取り付けられた状態の水洗式便器の斜視図である。
【図２】実施形態１の水洗式便器の上面図である。
【図３】図２の矢視ＩＩＩ−ＩＩＩ断面図である。
【図４】図２の矢視ＩＶ−ＩＶ断面図である。
【図５】図４の矢視Ｖ−Ｖ断面図である。
【図６】図５の矢視ＶＩ−ＶＩ断面を斜め上方から視た図である。
【図７】他の実施形態のガイド部付近を斜め上方から視た図である。
【発明を実施するための形態】
【０００８】
本開示の水洗式便器を具体化した実施形態１について、図面を参照しつつ説明する。以下の説明において、水洗式便器を正面から視て、手前側が前方、奥側が後方である。左右方向及び上下方向は、水洗式便器を正面から視た左右方向及び上下方向である。図２の左側が左側、右側が右側である。図３の右側が前方、左側が後方であり、図３の上方が上方、下方が下方である。
【０００９】
＜実施形態１＞
実施形態１の水洗式便器１０は、図１に示すように、壁面１００に取り付けられる。水洗式便器１０は、上方に便座装置９０が取り付けられている。便座装置９０は、機能部品であり、機能部９１及び便座部９３を備えている。機能部９１は内部に図示しない局部洗浄機構や脱臭機構等が収納されている。機能部９１は便座部９３を起立状態と倒伏状態に回動自在に軸支している。図１においては、便座部９３の倒伏状態を示す。便座部９３は倒伏状態で便鉢部２０の上方に位置する。
【００１０】
水洗式便器１０は、図２及び図３に示すように、便鉢部２０、給水路５０、排水路６０、上面部７０、及び側壁部８０を備えている。便鉢部２０は上方に開口している。便鉢部２０の開口は、上方から見た平面視において、前後方向に長い長円形状である。以下の説明では、便鉢部２０の前後方向において、後述する立ち面２５Ａ下端における前端位置と後端位置の間を４等分した場合に前側の１／４の領域を便鉢部２０の前方領域２０Ａと称する。
【００１１】
便鉢部２０は、鉢面２１、凹部２３、導水路２５、オーバーハング部２７、第１吐水口２９、第２吐水口（吐水口）３０、及びガイド部４０を有している。鉢面２１は、すり鉢状に形成されている。鉢面２１は、便鉢部２０の後方において前方領域２０Ａより凹部２３に向かう傾斜角度が大きくなっている。鉢面２１で受け止められた汚物は、鉢面２１に沿って旋回しつつ流下する洗浄水とともに、凹部２３と排水路６０を通って排出される。
【００１２】
凹部２３は、鉢面２１の下方に形成されている。凹部２３は、便鉢部２０の後方寄りに配され、排水路６０に連なっている。凹部２３は洗浄水を貯留する溜水部２４を有している。凹部２３は、鉢面２１から連続して設けられている。凹部２３の前壁は、鉢面２１の下端から下方に向けて屈曲する形で垂下する。凹部２３の後壁は、鉢面２１から傾斜角度が徐々に大きくなる形で垂下する。
【００１３】
導水路２５は、図３及び図４に示すように、便鉢部２０内を旋回する洗浄水が流れるように構成される。導水路２５は、便鉢部２０の内周縁部に、略全周に亘って形成されている。導水路２５は、立ち面２５Ａと、立ち面２５Ａの下端から溜水部２４に向けて下り傾斜した傾斜面２５Ｂと、を有している。立ち面２５Ａは、導水路２５の外周側において上下方向に立ち上がる面である。立ち面２５Ａは、便鉢部２０内を旋回する洗浄水を案内する。立ち面２５Ａの一部は後述する誘導面２５Ｃによって構成される。立ち面２５Ａは、便鉢部２０の前方領域２０Ａにおいて、平面視における曲率半径が略一定な構成である（図２参照）。本願において、「曲率半径が略一定」とは、例えば便鉢部２０の前方領域２０Ａ全体における曲率半径の変化が２０％以内であるものとする。傾斜面２５Ｂは、便鉢部２０の左右及び後方では棚面２６によって構成され、便鉢部２０の前方では鉢面２１によって構成される。棚面２６は、鉢面２１より溜水部２４側に向かう傾斜角度が小さく、溜水部２４側に向かうにつれて緩やかに下方に傾斜して延びている。なお、傾斜面２５Ｂにおいて、棚面２６と鉢面２１とは溜水部２４側に向かう傾斜角度が徐々に変化する形で連続的に形成されている。
【００１４】
オーバーハング部２７は、便鉢部２０の開口縁に、略全周に亘って形成されている。オーバーハング部２７は、便鉢部２０の中央側に向けて突出し、導水路２５の上方を覆う。オーバーハング部２７は、洗浄水等が便鉢部２０の外側に向かうことを抑制する。オーバーハング部２７は、便鉢部２０の左右及び後方における突出量が便鉢部２０の前方における突出量より大きくなっている。本実施形態において、「便鉢部２０の中央」は、便鉢部２０の開口の中心である。
【００１５】
第１吐水口２９及び第２吐水口３０は、図２に示すように、それぞれ立ち面２５Ａに開口する。第１吐水口２９は、便鉢部２０の左側に位置し、第２吐水口３０は、便鉢部２０の右側に位置する。第１吐水口２９は、便鉢部２０の前後方向の中間部において、左側の上部に形成されている。第１吐水口２９は、給水路５０の第１吐水流路５５の下流端に位置し、前方に向けて開口する。第１吐水口２９は、前側に向けて便鉢部２０内を旋回する洗浄水を吐水する。第２吐水口３０は、便鉢部２０の後方において、右側の上部に形成されている。第２吐水口３０は、給水路５０の第２吐水流路５７の下流端に位置し、左方向に向けて開口する。第２吐水口３０は、左後方及び左側に向けて洗浄水を吐水する。この洗浄水の一部は、便鉢部２０内を旋回して流れてきた洗浄水と同じ方向に向けて吐水される。第２吐水口３０は、便鉢部２０内を旋回する洗浄水の流れの下流端部に位置している。本願において、「便鉢部２０内を旋回する洗浄水の流れの下流端部」とは、便鉢部２０内を旋回して流れてきた洗浄水の少なくとも一部について、流れる方向が変更されて、旋回方向に向けて流れなくなる位置を意味する。
【００１６】
第２吐水口３０は、図５及び図６に示すように、前側縁部３１、後側縁部３３、上側縁部３５、及び棚面２６によって囲まれている。前側縁部３１は第１壁部３１Ａと第２壁部３１Ｂの間の角部によって形成されている。図５においては、第１壁部３１Ａと第２壁部３１Ｂの裏面側を破線で描いている。第１壁部３１Ａは、左後方、つまり、第２吐水口３０から多くの洗浄水が吐出される方向に対して平行に延びる形をなす。第１壁部３１Ａの後面は第２吐水流路５７の壁面を構成する。第２壁部３１Ｂは、第１壁部３１Ａの左側端部から前方に向けて屈曲して延びる形をなし、左側の面が誘導面２５Ｃを構成する。第２吐水口３０の後側縁部３３は、第３壁部３３Ａによって形成されている。第３壁部３３Ａは、第２吐水口３０から洗浄水が吐出される方向に沿って延びる形をなし、前面が便鉢部２０の後方において立ち面２５Ａを構成する。この第３壁部３３Ａの後面は第２吐水流路５７の壁面を構成する。前側縁部３１は、第２吐水口３０における便鉢部２０内を旋回する洗浄水が流れてくる側の縁部である。
【００１７】
ガイド部４０は、第２吐水口３０における便鉢部２０内を旋回する洗浄水が流れてくる側の近傍に設けられている。具体的には、ガイド部４０は、第２吐水口３０の前側縁部３１に設けられている。ガイド部４０、便鉢部２０内を旋回して流れてきた洗浄水を凹部２３に導入する。ガイド部４０は、便鉢部２０内を旋回して流れてきた洗浄水に衝突され、衝突した洗浄水の流れの方向を変更する。具体的には、ガイド部４０は、衝突した洗浄水の流れる方向を案内する案内面４１を有する。案内面４１は、前後方向に沿って延びる誘導面２５Ｃの後端から左側に向けて屈曲して、左側に向かって延びている。一方、第２吐水口３０から洗浄水が吐出される方向を規定する第１壁部３１Ａの後面及び第３壁部３３Ａの前面は、左側やや後方に向かって延びている。案内面４１は、便鉢部２０内を旋回して流れてきた洗浄水の流れの方向を、第２吐水口３０から洗浄水が吐出される方向よりやや前側に向けて案内するように構成されている。
【００１８】
ガイド部４０は、導水路２５から突出する形をなす。ガイド部４０は、立ち面２５Ａから突出するとともに、下端が棚面２６に連なる。ガイド部４０は、棚面２６から突出しているとも言える。ガイド部４０は、凹部２３における後方領域２３Ｂに向けて突出している。凹部２３における後方領域２３Ｂは、凹部２３の後壁とその近傍領域を含む領域である。ガイド部４０の突出端面４３は、平面視にてオーバーハング部２７と重なる範囲内に位置する（図２参照）。このような構成により、ガイド部４０に洗浄水が当たることにより飛沫が生じた場合であっても、オーバーハング部２７により飛沫が便鉢部２０の外部に向かうことが抑制される。
【００１９】
ガイド部４０において、下側の部分を第１突出部４０Ａと称し、第１突出部４０Ａの上方に連続して設けられた部分を第２突出部４０Ｂと称する。第１突出部４０Ａと第２突出部４０Ｂは、共に導水路２５から便鉢部２０の中央側に向けて突出する部分である。第１突出部４０Ａは、棚面２６に接続する部分である。第２突出部４０Ｂは、立ち面２５Ａの上下方向における中間部付近に位置する部分である。第２突出部４０Ｂは、第１突出部４０Ａより突出量が小さい。ガイド部４０は、第１突出部４０Ａから第２突出部４０Ｂに向かって徐々に突出量が小さくなっている。言い換えれば、ガイド部４０の突出端面４３は傾斜形状（バンク形状）を有している。ガイド部４０において第２突出部４０Ｂより上側の部分は、第２突出部４０Ｂより突出量が大きい。
【００２０】
誘導面２５Ｃは、ガイド部４０に対して便鉢部２０内を旋回する洗浄水の流れの上流側に設けられている。誘導面２５Ｃは、便鉢部２０内を旋回する洗浄水を便鉢部２０の中央側に向けて誘導するように構成されている。具体的には、誘導面２５Ｃは、立ち面２５Ａの一部が後方に向かうにつれて左側に向けて傾斜する形で設けられている。誘導面２５Ｃの前端は、便鉢部２０の前後方向中央部に位置する。誘導面２５Ｃの前端は、立ち面２５Ａの曲率半径が局所的に変化する部位として特定できる。この誘導面２５Ｃの前端は、便鉢部２０においてオーバーハング部２７の突出量が最も大きい部位近傍に位置している（図２及び図４参照）。誘導面２５Ｃはガイド部４０まで延びている。誘導面２５Ｃは、棚面２６に立設された第２壁部３１Ｂの左側の面によって構成される。便鉢部２０は、誘導面２５Ｃが左側に向けて傾斜するのに伴って、棚面２６の左右方向における寸法が後方に向かうにつれて小さくなる。
【００２１】
給水路５０は、図２及び図３に示すように、水洗式便器１０の左右中央の後方上部に配され、上流端の流入口５１が後方に向けて開口している。給水路５０の流入口５１は、図示しない連結部材によって、壁面１００に引き出された洗浄水の供給管１０１に洗浄水が漏出しないように水密状に連結される。この給水路５０は、上流端から前方に延びた導入流路５３と、導入流路５３の下流端で分岐された第１吐水流路５５と第２吐水流路５７とを有している。第１吐水流路５５は、便鉢部２０の後方から左方に向かって前方向に延びている。第１吐水流路５５の下流端は第１吐水口２９に連通している。第２吐水流路５７は、便鉢部２０の後方から右方に向かって、右端部で折り返されている。第２吐水流路５７の下流端は第２吐水口３０に連通している。
【００２２】
排水路６０は、上流端が凹部２３の底面に開口する流入口６１に連通する。また、排水路６０は、後側下方に向けて延びる導入流路６３と、導入流路６３の下流端に連続して後側上方に向けて延びる上昇流路６５と、上昇流路６５の下流端に連続して後側下方に向けて延びるとともに排水管１０３に連結される下降流路６７を有している。下降流路６７の下流端は後方に開口しており、図示しない接続部材等を介して、壁面１００に引き出された排水管１０３に排水が漏出しないように水密状に連結される。
【００２３】
上面部７０は、図２に示すように、便鉢部２０の上端縁部から前方、両側方に広がるリム部７１と、便鉢部２０の上端縁部から後方に広がる後面部７３とを有している。リム部７１は、平面視Ｕ字型をなし、倒伏状態の便座部９３が載置される。後面部７３は、平面視矩形状をなし、上方に機能部９１が載置される。
【００２４】
側壁部８０は、図３及び図４に示すように、便鉢部２０と排水路６０とを囲むように、上面部７０の外周縁から垂下し前端部から左右側方に連続している。排水路６０の下端部が僅かに側壁部８０の下端縁より下方に位置している。つまり、この水洗式便器１０は、側壁部８０が前面から左右側面にかけて連続的に湾曲した曲面によって形成されているため、便鉢部２０と排水路６０のほとんどが外側から視認することができない。
【００２５】
次に、このような構成を有する水洗式便器１０の便器洗浄を実行した際の洗浄水の流れ方を説明する。
【００２６】
この水洗式便器１０は、図示しないリモートコントローラに設けた便器洗浄スイッチを操作すると、給水路５０を介して第１吐水口２９及び第２吐水口３０から吐水する。これによって、この水洗式便器１０は便器洗浄を実行する。
【００２７】
第１吐水口２９から吐水した洗浄水は、図２に示すように、便鉢部２０の導水路２５に沿って便鉢部２０内を反時計回りに旋回して流れる。この際、洗浄水の一部は、傾斜面２５Ｂの傾斜によって凹部２３へ向けて流下する。立ち面２５Ａは、便鉢部２０の前方領域２０Ａにおいて、平面視における曲率半径が略一定な構成である。このため、立ち面２５Ａに案内されつつ旋回する洗浄水は、例えば、便鉢部の前端に向かって曲率半径が小さくなる立ち面を有する場合に比して、便鉢部２０の前方領域２０Ａで流速が低下しにくくなっている。立ち面２５Ａに沿って旋回して便鉢部２０の前方領域２０Ａを通過した洗浄水は、便鉢部２０の右側領域において誘導面２５Ｃに沿って便鉢部２０の左側に向けて誘導される。つまり、誘導面２５Ｃによって、便鉢部２０内を旋回する洗浄水の流れる方向が、後方に向かう方向から、左後方に向かう方向に変化する。
【００２８】
図５に示すように、誘導面２５Ｃを通過して、左後方に向けて流れる洗浄水は、ガイド部４０の案内面４１に衝突する。すると、洗浄水の主流の流れる方向が、衝突により左側に向かう方向に変化する。ガイド部４０は上側が下側に比して突出量が小さくなっており、導水路２５の上部を流れる一部の洗浄水は、ガイド部４０を超えて後方に向けて旋回する。このため、ガイド部４０に衝突した際の飛沫の発生が抑制される。ガイド部４０に衝突した洗浄水の主流は、ガイド部４０の突出方向に沿って左側に向けて案内される。ガイド部４０の突出端面４３まで案内された洗浄水は、棚面２６及び鉢面２１の傾斜によって凹部２３の後方領域２３Ｂに向けて流下して、凹部２３に導入される。つまり、ガイド部４０は、第１吐水口２９から吐水され、便鉢部２０内を旋回する洗浄水の下流端において、凹部２３の後方領域２３Ｂに向かう洗浄水の流れを形成する。言い換えれば、ガイド部４０によって、便鉢部２０内を旋回する洗浄水の下流端が規定される。
【００２９】
第２吐水口３０から左側やや後方に向かって吐出された洗浄水の一部は、棚面２６に沿って旋回して、凹部２３の前方領域に流下する。第２吐水口３０から左側やや後方に向かって吐出された洗浄水の一部は、棚面２６及び鉢面２１の傾斜によって凹部２３の後方領域２３Ｂに向けて流下する。第１吐水口２９から吐出された洗浄水のうちガイド部４０によって案内された洗浄水は、凹部２３の後方領域２３Ｂを旋回し、凹部２３の左側の壁面に沿って流れ、凹部２３の前方領域に向かう。凹部２３の前方領域に向かった洗浄水は、便鉢部２０の前方領域２０Ａから流下した洗浄水と合流する。このガイド部４０によって案内された洗浄水は、第２吐水口３０から凹部２３に流れる洗浄水を補助する流れとなる。凹部２３に流入した洗浄水は、排水路６０の流入口６１に向けた流れを形成し、排水路６０の流入口６１に向けて汚物等を押し込むような洗浄水の流れを形成する。つまり、この水洗式便器１０は第１吐水口２９及び第２吐水口３０から吐水する洗浄水の水量を少なくしても、汚物等の排出を良好に行うことができる。
【００３０】
以上説明したように、本実施形態の水洗式便器１０は、鉢面２１と、鉢面２１の下方に形成された凹部２３と、鉢面２１に洗浄水を供給する第２吐水口３０と、を有する便鉢部２０を備える。便鉢部２０は、第２吐水口３０における便鉢部２０内を旋回する洗浄水が流れてくる側の近傍に、便鉢部２０内を旋回して流れてきた洗浄水を凹部２３に導入するガイド部４０が設けられている。
【００３１】
この水洗式便器１０は、ガイド部４０により便鉢部２０内を旋回して流れてきた洗浄水を凹部２３に導入することにより、便鉢部２０内を旋回する洗浄水の流れの下流端において、汚物等を押し込むような洗浄水の流れを形成することができる。したがって、水洗式便器１０の排出性能を向上することができる。
【００３２】
本実施形態の水洗式便器１０において、ガイド部４０は、便鉢部２０内を旋回して流れてきた洗浄水に衝突され、衝突した洗浄水の流れの方向を変更する。この構成によれば、洗浄水がガイド部４０に衝突することにより、洗浄水の流れを確実に変更することができる。このため、洗浄水を凹部２３に導入しやすくなる。
【００３３】
本実施形態の水洗式便器１０において、便鉢部２０は、便鉢部２０内を旋回する洗浄水が流れる導水路２５を更に有し、ガイド部４０は、導水路２５から突出する。この構成によれば、導水路２５を流れる洗浄水をガイド部４０によって導水路２５から凹部２３に向けて案内し、凹部２３に導入することができる。
【００３４】
本実施形態の水洗式便器１０において、ガイド部４０は、導水路２５から便鉢部２０の中央側に向けて突出する第１突出部４０Ａと、第１突出部４０Ａの上方に連続して設けられ、導水路２５から便鉢部２０の中央側に向けて突出する第２突出部４０Ｂとを有する。第２突出部４０Ｂは、第１突出部４０Ａより突出量が小さい。この構成によれば、突出量が大きい第１突出部４０Ａにより、導水路２５の下側を流れる洗浄水を導水路２５から凹部２３に向けて案内することができる。そのうえで、第２突出部４０Ｂは、第１突出部４０Ａより突出量が小さい構成とされることにより、洗浄水の飛沫の飛散を抑制することができる。
【００３５】
本実施形態の水洗式便器１０において、ガイド部４０は、凹部２３における後方領域２３Ｂに向けて突出する。この構成によれば、導水路２５を流れる洗浄水をガイド部４０によって導水路２５から凹部２３の後方領域２３Ｂに向けて案内し、凹部２３の後方領域２３Ｂに導入することができる。
【００３６】
本実施形態の水洗式便器１０において、便鉢部２０は、ガイド部４０に対して便鉢部２０内を旋回する洗浄水の流れの上流側に、便鉢部２０内を旋回する洗浄水を便鉢部２０の中央側に向けて誘導する誘導面２５Ｃを更に有する。この構成によれば、ガイド部４０の上流側において、誘導面２５Ｃにより便鉢部２０内を旋回する洗浄水が便鉢部２０の中央側に向けて誘導されるから、誘導面２５Ｃとガイド部４０とにより洗浄水を確実に凹部２３に導入することができる。便鉢部２０が誘導面２５Ｃを有するから、誘導面２５Ｃがない場合に比べてガイド部４０によって洗浄水の流れる方向が急に変更されることがなく、ガイド部４０を設けたことに起因して洗浄水の勢いが弱まりにくい。
【００３７】
本実施形態の水洗式便器１０において、便鉢部２０は、便鉢部２０内を旋回する洗浄水を案内する立ち面２５Ａを有し、立ち面２５Ａは、便鉢部２０の前方領域２０Ａにおいて、平面視における曲率半径が略一定な構成である。この構成によれば、便鉢部２０の前方領域２０Ａにおいては便鉢部２０内を旋回する洗浄水の勢いが弱まりにくく、洗浄水を下流端まで十分に行き渡らせることができる。そのうえで、便鉢部２０内を旋回する洗浄水の流れの下流端では、勢いよく旋回してくる洗浄水をガイド部４０により確実に凹部２３に導入することができる。
【００３８】
本実施形態の水洗式便器１０において、便鉢部２０は、左右方向における一方に位置する第１吐水口２９と、他方に位置する第２吐水口３０と、を有する。第１吐水口２９は、前側に向けて便鉢部内を旋回する洗浄水を吐水する構成である。第２吐水口３０は、便鉢部２０内を旋回して流れてきた洗浄水と同じ方向に向けて洗浄水を吐水する構成である。ガイド部４０は、第２吐水口３０における便鉢部２０内を旋回する洗浄水が流れてくる側の前側縁部３１に設けられている。この構成によれば、第１吐水口２９から吐水された洗浄水を、第２吐水口３０から吐水された洗浄水と合流する前に、ガイド部４０によって、凹部２３における第２吐水口３０から吐水された洗浄水が流入しにくい位置に導入することができる。このため、第１吐水口２９及び第２吐水口３０から吐水する洗浄水の水量を少なくしても、汚物等の排出を良好に行うことができる。
【００３９】
本開示は上記記述及び図面によって説明した実施形態に限定されない。
【００４０】
（１）実施形態１とは異なり、便鉢部は第２吐水口を備えなくてもよい。便鉢部は更に別の吐水口を備えていてもよい。
【００４１】
（２）第１吐水口及び第２吐水口は、実施形態１とは異なる場所であって、便鉢部内に良好な洗浄水の流れを形成できる場所に形成してもよい。
【００４２】
（３）実施形態１とは異なり、ガイド部は、立ち面から曲率半径が徐々に変化する案内面を有し、案内面に沿って洗浄水の流れる方向を徐々に変化させる構成であってもよい。
【００４３】
（４）ガイド部の突出方向は、凹部の排水路の流入口の位置や、便鉢部内を旋回する洗浄水の流速等を加味して適宜、実施形態１とは異なるものとしてもよい。
【００４４】
（５）実施形態１では、便鉢部がガイド部の前側に傾斜する形の誘導面を有する構成を例示したが、便鉢部は誘導面を有していなくてもよい。誘導面は傾斜する形をなしていなくてもよく、立ち面から曲率半径が徐々に変化する湾曲面でもよい。
【００４５】
（６）実施形態１とは異なり、棚面は便鉢部の前方に設けられていてもよい。その他にも、導水路の構成は適宜変更可能である。
【００４６】
（７）上記実施形態以外にも、第２突出部が第１突出部より突出量が小さい態様は適宜変更可能である。例えば、図７に示すガイド部１４０のように、第１突出部から第２突出部に向かって急激に突出量が小さくなっていてもよい。言い換えれば、ガイド部１４０の突出端面１４３は凹面形状を有していてもよい。
【００４７】
（８）上記実施形態以外にも、便鉢部においてガイド部が設けられる部位は適宜変更可能である。例えば、ガイド部は第１吐出口の縁部に設けられてもよい。
【００４８】
（９）上記実施形態以外にも、便鉢部においてガイド部が設けられる位置は適宜変更可能である。例えば、ガイド部は第２吐出口の前側縁部より少し前側であり、第２吐出口に対して便鉢部内を旋回する洗浄水の少し上流側の位置に配されていてもよい。
【符号の説明】
【００４９】
１０…水洗式便器、２０…便鉢部、２０Ａ…前方領域、２１…鉢面、２３…凹部、２３Ｂ…後方領域、２５…導水路、２５Ｂ…立ち面、２５Ｃ…誘導面、２９…第１吐水口、３０…第２吐水口（吐水口）、３１…前側縁部（縁部）、４０，１４０…ガイド部
【図１】
2020200605.tif 000003
【図２】
2020200605.tif 000004
【図３】
2020200605.tif 000005
【図４】
2020200605.tif 000006
【図５】
2020200605.tif 000007
【図６】
2020200605.tif 000008
【図７】
2020200605.tif 000009